(57)【特許請求の範囲】
【請求項１】
かみそりハウジング（２）と、前記かみそりハウジング（２）上に配置された剪断ヘッド（３）と、を有する電気かみそりであって、
前記かみそりハウジング（２）内に配置された電気モーター（９）により駆動され得る少なくとも１つの剪断又は切断部分（４、５）が前記剪断ヘッド（３）上に支持され、
電気的に作動可能な少なくとも１つの能動的熱電素子（７）が、前記かみそりハウジング内に設けられ、
周囲温度に対して冷却され得る前記熱電素子（７）の側が、受動的冷却要素（６、１６）に熱的に結合され、
前記受動的冷却要素（６、１６）の少なくとも１つの自由末端区分（２０、２１）は、前記剪断ヘッド（３）の領域上又は前記領域内に位置し、前記自由末端区分は前記かみそりの作動中に使用者の皮膚と接触するようになる、かみそり。
【請求項２】
前記受動的冷却要素（６、１６）が、前記剪断又は切断部分（４、５）を少なくともある区分において横方向に囲んでいる、請求項１に記載のかみそり。
【請求項３】
前記受動的冷却要素（６、１６）の自由末端区分（２０、２１）が前記剪断又は切断部分（４、５）から後退して位置し、
前記末端区分が、前記かみそりの作動中、前記使用者の前記皮膚の方向に向いている、請求項１又は２に記載のかみそり。
【請求項４】
前記受動的冷却要素（６、１６）が、少なくとも１つのばね要素（１４）用の受け入れ部の形態で構成され、前記剪断ヘッド（３）上で前記剪断又は切断部分（４、５）の弾性的な支持をもたらしている、請求項１〜３のいずれか一項に記載のかみそり。
【請求項５】
前記受動的冷却要素（６、１６）が、剪断ヘッド（３）の領域内で少なくとも１つの丸い突出部（２０、２１）を有し、前記突出部は、前記少なくとも１つの剪断又は切断部分（４）の前記長手方向と平行に延びる、請求項１〜４のいずれか一項に記載のかみそり。
【請求項６】
前記受動的冷却要素（１６）が、前記剪断ヘッド（３）のホイルカッター（４）と中間トリマー（５）との間に位置し、外方に向けられた少なくとも１つの突出部を有する、請求項１〜５のいずれか一項に記載のかみそり。
【請求項７】
前記能動的熱電素子（７）がペルチエ素子の形態で構成されている、請求項１〜６のいずれか一項に記載のかみそり。
【請求項８】
前記能動的熱電素子（７）が、周囲温度に対して加熱される側にて冷却部材（８、１８）と熱的に結合されている、請求項１〜７のいずれか一項に記載のかみそり。
【請求項９】
前記冷却部材（８）が、かみそりの作動中、冷却空気供給装置（１２、１３）を使用することにより冷却され得る、請求項８に記載のかみそり。
【請求項１０】
前記冷却部材（１８）が潜熱蓄熱器を有する、請求項８又は９に記載のかみそり。
【請求項１１】
前記冷却部材（８、１８）が、能動的熱電素子（７）により実現され得る加熱作用により蒸発する流体を吸収するように構成されている、請求項８〜１０のいずれか一項に記載のかみそり。
【請求項１２】
前記熱電素子（７）が、前記冷却部材（８、１８）及び／又は前記冷却要素（７）に結合され、気密及び／又は水密シールを形成する、請求項８〜１１のいずれか一項に記載のかみそり。
【請求項１３】
前記能動的熱電素子（７）の温度が調節されることができ、
前記熱電素子（７）が、前記受動的冷却要素（６、１６）を選択的に冷却及び加熱するよう構成されている、請求項１〜１２のいずれか一項に記載のかみそり。
【請求項１４】
前記かみそりハウジング（２）用のレセプタクルと、前記かみそりハウジング（２）内に配置された少なくとも１つの電気二次電池（１０、１１）を充電する充電手段と、を有する請求項１〜１３のいずれか一項に記載された電気かみそり（１）用の充電ステーションであって、
前記かみそりの能動的熱電素子（７）を前記充電ステーションの制御及び調節ユニットに接続するための電気的接続手段が設けられている、充電ステーション。
【請求項１５】
前記制御及び調節ユニットが、
前記熱電素子（７）を使用して、前記かみそり（１）の前記能動的熱電素子（７）に熱的に結合された冷却部材（８、１８）を冷却し、
同時に、前記熱電素子（７）に熱的に結合された受動的冷却要素（６、１６）であって、前記かみそり（１）の剪断ヘッド（３）まで又は前記ヘッド内に延びる受動的冷却要素（６、１６）を、洗浄目的により、加熱するよう、
構成されている、請求項１４に記載の充電ステーション。
【発明の詳細な説明】
【技術分野】
【０００１】
本発明は、かみそりハウジングと、かみそりハウジング上に配置された剪断ヘッドとを有し、かみそりハウジング内に配置された電気モーターにより駆動され得る少なくとも１つの剪断又は切断部分が剪断ヘッド上に移動可能に支持されている電動かみそりに関する。
【背景技術】
【０００２】
電気的に作動されるかみそりは、先行技術等において十分に公知である。これらは一般に、剪断又は切断ヘッドを有し、このヘッド上に切断装置が固定され、切断装置は、それらが平行移動、振動又は回転移動できるように支持されている。典型的な切断装置は、穿孔され又は開口部が設けられた上部ブレードと、下部ブレードとを有し、上部ブレードと下部ブレードは電気的駆動により互いに対して移動することができ、それにより、毛髪が上部ブレードの開口部内に入った際、切断装置がこれらの毛髪を切り落とすことができる。
【０００３】
髭剃りプロセス中、そのような電気的に作動されるかみそりの大部分の使用者は、剃られる皮膚上に暖かい感覚が印象付けられる。これは多くの場合、使用者に不快なものとして知覚され、使用者により皮膚刺激と関連付けられる。知覚できる暖かさは、特に、上部ブレードと下部ブレードとの間の機械的摩擦の結果として生じる。
【０００４】
先行技術において、電気的に作動されるかみそり用の様々な冷却手段が既に記載されている。例えば、米国特許第３，３６４，５６８号は、外部に配置された剪断ホイル又は剪断若しくは切断ヘッドの上部ブレードに接触板を介して熱的に結合された電気的に作動可能な冷却要素の使用を開示している。この方法で、髭剃り中、使用者の皮膚との接触に達するかみそりのそれらの部分が能動的に冷却され得る。
【０００５】
同様の手法が、ドイツ特許第１０１  ４７  ２８６  Ａ１号に記載されている。ここでは、更にファンを用いて、剃られる皮膚範囲上に電気的冷却要素から冷却用空気を吹き付けることが提供されている。
【０００６】
しかしながら、冷却用空気の流れによる冷却は、同様に、使用者により不快かつ妨害的なものとして知覚される。剃られる皮膚との接触に達する上部ブレード、例えば剪断ホイルの冷却は、穿孔ホイルがその穿孔された構成を原因として熱伝導に特に適したものというわけではないため、実用的な観点から問題があることが判明している。
【０００７】
更に、剪断ホイルの形態を有する上部ブレードは、かみそりの作動中、既に熱に晒されていることに注目するべきである。したがって、皮膚上で感知できる冷却効果を剪断ホイルにより実現したい場合、剪断ホイルに既に存在する加熱は、最初に能動的冷却により対抗される必要があり、使用者がともかく冷却効果を体験できるように剪断ホイルの加熱に勝る冷却機能を提供する必要がある。この点で、かみそりの作動中に熱くなる切断要素を、皮膚範囲のために冷却要素として使用することは不都合であることが判明している。
【０００８】
その冷却装置が複数のペルチエ素子を含むかみそり用の冷却装置は、ＣＨ  ３９０７２２  Ａから公知である。髭剃り中、これらの熱電素子は、追加の受動的冷却要素を介在させずに、その冷却点として知られる地点にて皮膚と接触する必要があり、それにより皮膚を冷却する必要がある。これらのペルチエ素子は、各場合において、互いに電気的に絶縁されるように剪断システムの周辺のまわりに配置される。各場合において、ペルチエ素子は、電源に電気的に接続される必要があり、その上１つ１つのペルチエ素子を（例えば、対応するコーティングを介して）皮膚から電気的に絶縁して皮膚全体にわたりペルチエ素子の短絡を防止する必要もある。このことは勿論、熱伝達の低下ももたらす。更に、このような構成は極めて複雑かつ高価である。
【先行技術文献】
【特許文献】
【０００９】
【特許文献１】米国特許第３，３６４，５６８号
【特許文献２】ドイツ特許第１０１  ４７  ２８６  Ａ１号
【特許文献３】ＣＨ  ３９０７２２  Ａ
【発明の概要】
【発明が解決しようとする課題】
【００１０】
これと比較して、本発明は、電動かみそり用の改良された効果的な冷却概念を提供する目的に基づいている。本構成において、かみそり上に設けられる冷却手段は、可能な限りエネルギー効率がよく作動されるべきであり、現存するかみそりの形状と一体化し、安価に実現できるべきである。
【課題を解決するための手段】
【００１１】
本発明の基礎を形成する目的は、請求項１に記載の電動かみそりと、請求項１４に記載の関連した充電ステーションとにより実現される。本発明の有利な実施形態は、各従属請求項に明記されている。
【００１２】
本発明による電動かみそりは、かみそりハウジングと、かみそりハウジング上に配置された剪断又は切断ヘッドとを有する。移動可能に支持された少なくとも１つの剪断又は切断部分が前記剪断又は切断ヘッド上に配置され、この剪断又は切断部分は、かみそりハウジング内に位置する電気モーターにより振動又は回転するよう駆動されることができる。
かみそりは電気的に作動可能な能動的熱電素子も有し、熱電素子は、作動中、周囲温度に対して冷却され得る側と、周囲温度に対して加熱され得る側とを有する。
【００１３】
受動的冷却要素は、能動的に冷却される熱電素子の側と熱的に結合され、この受動的冷却要素の少なくとも１つの自由末端区分はかみそりの剪断又は切断ヘッドの領域上又はこの領域内に位置し、前記自由末端区分は、かみそりの作動中、使用者の皮膚と接触するようになる。本発明では、冷却要素が、かみそり又は剪断若しくは切断部分の機能的部分としてではなく、専ら熱又は温度伝達用に構成されていることが必須となる。
【００１４】
この構成において、受動的冷却要素は、毛髪を短くするために提供され、かつその目的のために構成されているかみそりの機能的部分とは別個に、かつ独立して構成される必要がある。受動的冷却要素は、その構造及び外部形状に関して、最適に速く効率的な伝熱のために構成されている。受動的冷却要素は、少なくとも上部及び下部ブレードの寸法にほぼ一致する外部寸法を有するが、受動的冷却要素が中実の１部品の部材の形態で構成されていることが異なる。
【００１５】
受動的冷却要素は、特にその中実の構成により、能動的に冷却可能な熱電素子と、冷却される皮膚範囲との間で、先行技術と比較して最適化されかつ改善された熱伝達を提供することができる。能動的熱電素子と、冷却される皮膚範囲との間の熱伝導損失はこの方法で最小化されることができ、それにより同等のエネルギー量を使用する場合、例えばかみそりの剪断ホイルを冷却する冷却機構と比較して著しく改善された冷却結果を皮膚上で実現することができる。能動的熱電素子と皮膚との間の連結部としての受動的冷却要素の使用により、標準的な熱電素子、特に市販されている電気熱変換体の使用が可能であり、特別に製造した熱電素子を使用する必要はない。
【００１６】
本発明の実施形態の第１の利点によれば、その末端区分が能動的熱電素子の反対側に向いた受動的冷却要素は、剪断部分及び／又は剪断ヘッドを少なくとも部分的に横方向に包囲し又は取り囲むことがもたらされる。特に、この構成において、受動的冷却要素のこの覆われていない冷却可能な末端区分は、剪断又は切断部分に配置された切断装置から後退して配置される。
【００１７】
それにより、剃られる皮膚範囲に沿って滑らさせると、受動的冷却要素の自由端は上部ブレード及び下部ブレードが装備された切断部分に先導し及び／又は追従するよう配置されることになる。
【００１８】
剪断又は切断部分に配置された切断装置に対する冷却要素の少なくとも僅かに後退した配置は、切断装置と、剃られる皮膚範囲との間の十分な配置力及び圧力を確保することができる。この構成において受動的冷却要素と少なくとも１つの切断部分との間の距離は、髭剃り工程中、剃られる皮膚範囲が切断装置と受動的冷却要素との両方と接触できるよう有利に選択される。
【００１９】
特に、剪断又は切断部分が、剃られる皮膚範囲に表面法線と正確に平行に接触せず、かみそり及びその剪断又は切断部分が皮膚範囲の表面法線に対して少なくとも僅かに傾斜して、皮膚範囲に沿って移動する場合が有利であり、これは典型的な髭剃りプロセスにおける実践の殆どの部分に当てはまる。
【００２０】
切断装置に対して少なくとも僅かに後退した冷却要素は、特に剪断若しくは切断部分又は全かみそりハウジングのそれぞれが皮膚の表面法線に対してそのような少なくとも僅かに角度付けされ又は傾斜して整合された場合、前記皮膚範囲を冷却する困難さを有することなく対応する皮膚範囲との接触に達することができる。
【００２１】
特に、この構成では、かみそりの作動中、使用者の皮膚の方向に向いた自由末端区分を有する冷却要素が、剪断若しくは切断部分又は全剪断ヘッドを、完全に又は少なくとも部分的に取り囲み又は包囲することがもたらされる。特に、冷却要素が冷却ウェブ又は冷却ラインのタイプの形態を有することがもたらされ得る。
【００２２】
本発明の有利な展開によれば、受動的冷却要素は、剪断ヘッドの領域内で少なくともその自由末端区分において丸い突出部を有し、又は全体として丸い冷却ウェブ又は冷却ラインの形態にて構成されることがもたらされる。この領域内の受動的冷却要素は、特に、少なくとも１つの切断部分又は少なくとも１つの上部ブレードの長手方向と平行に延びていてもよい。
【００２３】
また、受動的冷却要素は、その少なくともある区分において少なくとも１つのばね要素用の機械的受け入れ部の形態で構成され、このばね要素は、剪断ヘッド又は剪断若しくは切断部分において切断装置又はその一部分の弾性的な支持をもたらし得る。この点で、冷却要素を剪断又は切断部分のハウジング区分内に一体化することが考えられる。弾性的な支持を介して剪断又は切断部分に熱伝達が起こり得ることも可能であり、また本発明の範囲内に含まれる。
【００２４】
しかしながら、優位な冷却効果は、冷却要素の自由末端区分と、剃られる皮膚範囲との直接接触により提供される。
【００２５】
剪断ヘッド全体をばね付勢によりかみそりハウジングに支持することも本発明の範囲内に含まれ、この構成では、受動的冷却要素はかみそりハウジング又は剪断ヘッドのいずれかに堅固に接続され得る。
【００２６】
更なる補足の又は代替的な実施形態によれば、受動的冷却要素は、外方に向けられた少なくとも１つの突出部を有してもよく、この突出部は、上部ブレードとしての剪断ホイルを備えた切断部分と、剪断ヘッドの中間トリマーとの間に位置する。この構成では、特に、冷却要素がフォーク状に構成され、かつ互いに実質的に平行して延びる２つの突出部を有し、該突出部は、各場合において、中間トリマーの片側と、前記中間トリマーの左及び右に配置された剪断又は切断部分との間に位置することがもたらされ得る。
【００２７】
この実施形態では、特に、冷却要素は専ら２つの剪断又は切断部分の間に配置され、断面で見ると、中間トリマーの外側に位置し、かつ場合により中間トリマーを横方向に囲んでいることがもたらされる。
【００２８】
本発明の内容では、能動的熱電素子がペルチエ素子の形態で構成され、かみそりの電気モーターとは切り離された別個の電源に電気的に接続されることが更にもたらされる。この構成では、互いに影響を与えない、モーターの電源と、冷却用の二次電池の形態を有する電源との両方が構成されることがもたらされる。その理由は、熱電素子がペルチエ素子の形態で実施される場合、その電力消費は電気モーターの電力消費よりも著しく高いことによる。
【００２９】
２つの独立した二次電池を設けることにより、少なくともかみそり操作の動作信頼性が高まると共に、過度に長い時間使用する場合、場合によりその間に電池を充電せずに冷却機能を供給することができる。２つの電池の充電サイクルの間の間隔が特に長い場合、ペルチエ素子の無視できない電力消費にも関わらず、長時間の髭剃り機能が確実となり得る。それ故、冷却機能は、かみそりの髭剃り作動時間を犠牲にするものではない。
【００３０】
従来のペルチエ素子の代わりに、ゼーベック効果を利用した様々な他の半導体素子もそれに従って使用することができる。
【００３１】
また、能動的熱電素子は、周囲温度に対して加熱される側にて冷却部材と熱的に結合されることがもたらされる。冷却部材は熱電素子の作動中に熱くなる一方、熱電素子の反対側に配置された受動的冷却部材は冷却されった状態になる。この構成では、特に、能動的熱電素子と冷却部材とをかみそりの主ハウジングの領域内に配置する一方、受動的冷却要素は、能動的熱電素子と、剪断ヘッド上に形成された冷却ウェブ、冷却ストリップ又は冷却フランジとの間の冷却ゾーンを熱的に覆うことがもたらされる。
【００３２】
かみそりハウジングの外部に冷却部材を配置することは、熱電素子の作動中、冷却部材に供給される熱が、比較的容易に、急速に、かつ効率的に周囲の範囲に放出され得る利点を有する。
【００３３】
代替的に又はこれに加えて、空間的理由から、かみそりハウジングの中央に冷却部材を配置し、又はかみそりの機能的部分を冷却部材に埋め込むことももたらされ得る。
【００３４】
本発明の更なる実施形態によれば、かみそりに冷却給気手段を提供し、この冷却給気手段により、作動中に加熱された冷却部材が能動的に冷却され得ることがもたらされる。そのために、作動中に冷却部材に冷却空気を適用することができるファン及び冷却空気チャネルを提供することが考えられる。
【００３５】
本発明の特に有利な実施形態によれば、冷却部材は潜熱蓄熱器を有することがもたらされる。潜熱蓄熱器は、材料又は潜熱蓄熱器媒体の可逆的な熱力学状態変化のエンタルピーを利用する、相変化材料として知られるものを備える。潜熱蓄熱器媒体は、例えば、固体と液体との間で相変化を行ってもよい。特に、パラフィン又は特別な塩、場合により水でさえも、好適な潜熱蓄熱器材料として考慮される。
【００３６】
特に、潜熱蓄熱器のハウジングは少なくとも部分的に透明であり、かみそりハウジングの内部からそれを照らすことがもたらされ得る。相変化の結果、蓄熱器材料の光透過挙動が変化し得るため、潜熱蓄熱器の状態に関する光学的監視能力が使用者にも提供され得る。
【００３７】
潜熱蓄熱器としての構成に加えて、原理上、水で充填された冷却部材を考ることもできる。この構成では、水の比較的高い熱容量及び／又は融解熱が利用され得る。
【００３８】
本発明の更なる実施形態によれば、能動的熱電素子により実現され得る、熱の作用により蒸発する流体を収容するように冷却部材を構成することがもたらされる。したがって、冷却部材が、例えば髭剃り前に冷水で含浸される、熱を良く伝導する多孔質の材料を有するように、冷却部材を流体又は水気化器として構成することがもたらされ得る。熱電素子の作動中、この冷却部材は加熱を体験するが、そのプロセス中、水の蒸発の開始と、この冷却部材の乾燥とを介して、熱がシステム全体から抜き出され得る。
【００３９】
また、能動的熱電素子の温度は調節されることができ、それ故使用者により調整可能であり、また熱電素子は、受動的冷却要素を選択的に冷却及び加熱するように構成され、したがって冷却部材の反対の作用を有するように構成されることが提供される。冷却効果の方向反転は、特に、かみそりが、作動中、過度に高温に加熱されないように、かみそりの起動前に冷却部材を能動的に冷却する際に有利であり得る。
【００４０】
また、冷却効果の反転により、剪断ヘッドに熱的に結合された受動的冷却要素の加熱も実現し得る。そのような加熱は、直接隣接して配置された剪断及び切断部分の洗浄手順に関連して有利であり、この剪断及び切断部分は、例えば洗浄ステーションの補助により水性又はアルコール含有洗浄流体で含浸され、受動的冷却要素によって提供される熱量の作用の下で、洗浄後により良好に乾燥され得る。
【００４１】
そのような洗浄手順中、冷却回路を反転させて例えば洗浄流体を加熱することも考えられ、このことは、そのようなものとして洗浄に有利に影響し得る。
【００４２】
独立した更なる態様によれば、本発明は電動かみそり用の充電ステーションに関し、この充電ステーションは、かみそりハウジング用のレセプタクルを有し、かみそりハウジング内に配置された少なくとも１つの電気二次電池を充電する充電手段が装備されている。
【００４３】
この構成において、電気的接続手段−例えば、ばね付勢コンタクトピンの形態の−は、充電され、かみそりハウジング内に配置される二次電池用の電力供給を提供するのみではなく、更に、かみそりハウジング内に配置されたかみそりの能動的熱電素子と、充電ステーションの制御及び調節ユニットとの接続のために構成されていることももたらされる。この方法で、充電ステーション内に配置された、能動的熱電素子と場合により冷却部材とが提供されているかみそりは、場合により、かみそりの起動前に、充電ステーション内で所定の温度レベルに既に冷却されていることもできる。
【００４４】
この構成では、特に、かみそり上に提供されている蓄熱器又は冷却部材が冷却され得る。髭剃りプロセスの結果加熱された冷却部材からエネルギーを放出させ、このエネルギーを電気エネルギーに変換し戻すように充電ステーションを構成することも考えられる。この構成では、特に、冷却部材に接続されたペルチエ素子を介して前記冷却部材から貯蔵熱を充電ステーションに供給し戻し、この貯蔵熱を使用してかみそりのハウジング内に位置する電池を充電することがもたらされ得る。
【００４５】
充電ステーション又はその制御及び調節ユニットは、特に、熱電素子を使用して、かみそりの能動的熱電素子に熱的に結合された冷却部材を冷却し、同時に、熱電素子に熱的に結合された、かみそりの剪断ヘッドまで又は該ヘッド内に延びる受動的冷却要素を洗浄目的により加熱するよう構成される。そのような冷却部材及び冷却要素の接続された冷却及び加熱は、かみそりの充電プロセスに有利に統合されることができ、又は一時的に結合されることができる。
【００４６】
本発明の更なる目的、特徴及び有利な実施形態を、図面を参照して、以下の典型的な実施形態により記載する。全ての記載及び図示される特徴は、単独及び任意の意味のある組み合わせの両方で、また特許請求の範囲及びそれらの互いの従属関係とは独立してさえも本発明の主題を形成する。
【００４７】
図面は以下のように示す。
【図面の簡単な説明】
【００４８】
【図１】熱電素子に接続した受動的冷却部材を有する電気かみそりの概略図。
【図２】潜熱蓄熱器を有する電気かみそりの一実施形態。
【図３】剪断ヘッドの中間トリマーが、受動的冷却要素の２つのウェブにより囲まれている、かみそりの更なる実施形態。
【図４】冷却装置の最適な効率により特徴付けられる本発明の実際の実施形態。
【発明を実施するための形態】
【００４９】
図面により補助される以下の記載において、同一の参照文字は、各場合において、互いに対応する部分に選択される。
【００５０】
図１に概略的に示すかみそり１は、ハウジング２と、ハウジング２の上部末端区分に配置された剪断又は切断ヘッド３とを有する。互いに独立した２つの二次電池１０、１１はハウジング内に収容され、二次電池１０はモーター９を駆動し、このモーターは、剪断又は切断ヘッド３上に配置された剪断又は切断部分４、５と機械的に操作可能に相互作用する。剪断及び切断部分４、５は、周辺の冷却ストリップの形態にて構成された受動的冷却要素６に対して圧縮ばね１４によりばね付勢されている。
【００５１】
冷却要素６は丸い突出部又はウェブ２０、２１を有し、これらは剪断部分４、５の自由末端区分に対して後退されており、電気的に作動される剪断及び切断部分４の側部に突出し、丸い突出部は髭剃り中、剃られる皮膚表面と接触する必要がある。かみそりハウジング２内では、受動的冷却要素６が電気的に作動可能な能動的熱電素子７に熱的に結合しており、熱電素子７は、ペルチエ素子の形態にて構成されていてもよい。
【００５２】
熱電素子７は別個の二次電池１１により作動されることができ、それにより二次電池１０を介して、かみそりの冷却機能とは独立して、同等に高い電力消費を有する十分長い髭剃り時間のための作動電力を提供することができる。
【００５３】
冷却部材８は、熱電素子７上において受動的冷却要素６の反対側に配置されている。図１による実施形態によれば、この冷却部材は外側に向いた冷却フィンを有し、この冷却フィンは冷却ファン１３、次いで冷却チャネル１２によって冷却用空気が供給されてもよく、冷却ファン１３はハウジング内のモーター９により駆動されてもよい。冷却部材８及び冷却チャネル１２は、使用者により殆ど気付かれない気流がハウジング２から逃れられるように構成されてもよく、それにより使用者の髭剃りの心地よさは、最終的に気流により僅かに悪影響を与えられるのみである。
【００５４】
受動的冷却要素６は、特に冷却ストリップ又は冷却フランジの形態で構成されてもよく、かみそり１の剪断又は切断ヘッド３の剪断又は切断部分４、５の全部を包囲する。受動的冷却要素６に適した材料には、例えばアルミニウム又は亜鉛が考慮され、モジュール６はアルミニウム又は亜鉛ダイキャスティングにより製造されてもよい。この場合、特に、受動的冷却要素６は、十分な伝熱を提供できるように空隙を有さない中実の構成要素の形態で構成されることがもたらされる。
【００５５】
この構成では、少なくともある領域内で周辺をなし、かつ剪断ヘッド３を横方向に包囲する冷却要素６は、同時にその丸い突出部又は冷却ストリップと共に、かみそりの作動中、力を制限する機械的停止部の一種として機能することももたらされる。例えば、冷却ストリップ又は受動的冷却要素６は、切断部分４、５の間の構造的空間を占め、かつ／又は切断部分、特に中間部分５のマウントとして機能するように構成されてもよい。
【００５６】
図１に示すかみそりの初期位置において、受動的冷却要素６の上方に向いた突出部２０、２１は、剪断及び切断部分４、５の上部自由末端区分に対して幾分後退されている。剪断及び切断部分４、５はばね付勢により支持されているため、剃られる皮膚によって対抗圧力が適用された場合、幾分後方に移動することができ、それにより、そのウェブ様に形成された突出部２０、２１を有する受動的冷却要素６が、剃られる皮膚と接触する。
【００５７】
同時に、冷却ウェブ２０、２１の実施形態により、ばね要素１４の圧縮は所定の程度に制限されてもよく、それにより髭剃りに最適な剪断及び切断部分４、５と皮膚との間の接触圧は、圧縮ばね１４の対応するばね定数の選択と、冷却ストリップ２０、２１と切断及び剪断部分４、５との幾何学的構成とによりもたらされ得る。
【００５８】
ペルチエ素子７をかみそりハウジング内、特にかみそりハウジングの横方向縁に一体化することは、特に、かみそり全体が使用者の手から滑り出て床に落ちた場合、ペルチエ素子に対する有効な衝撃保護を提供する。このことは、更に、汚れ及び水又は水蒸気に対するユニットの密封を促進する。
【００５９】
図２による実施形態は、冷却フィンが提供される冷却部材８の代わりに、潜熱蓄熱器１８を有する。潜熱蓄熱器１８は、例えば、パラフィンが充填され、少なくともある領域内にて透明であるよう構成されてもよい。潜熱蓄熱器１８又はそのハウジングは内部から照らされ、それにより熱電素子７の作動中、潜熱蓄熱器材料の液化後に使用者により知覚可能な視覚的効果が形成され、その視覚的効果は現在のペルチエ素子７及び／又は潜熱蓄熱器の作動状態を使用者に示すことができることが更に考えられる。
【００６０】
潜熱蓄熱器の代わりに、冷却部材１８を水で充填し、又は冷却部材自体を、ペルチエ素子７の作動中に蒸発する流体、例えば水を吸収する多孔質材料の形態で構成することも考えられる。
【００６１】
ペルチエ素子７により使用者の要望及び必要性に対して個別に適合され得る個別の冷却を実現することができる。特に、冷却部材６の冷却温度は、使用者が調整できる操作要素を使用して設定されることができる。
【００６２】
ペルチエ素子を能動的熱電素子として使用することによって、冷却又は加熱機能の反転も更に可能となる。例えば、ペルチエ素子が周期的に又は逆極性で作動された場合、髭剃り工程後の熱い蓄熱器１８、８は能動的に冷却されることができる。これに加えて、それらの要素−ペルチエ素子７に熱的に結合した冷却要素６及び冷却部材８をそれら自体で室温に冷却させ、その間にゼーベック効果を利用して電気エネルギーを生成することが考えられる。
【００６３】
これは特にかみそり１が、特に使用後に、おそらく洗浄装置に接続され得る充電ステーション内に保管される場合に有利である。この点で、ペルチエ素子７により生成され得る電気エネルギーは充電ステーション内に移送されることができ、そこでかみそり１の電池１０、１１の充電に使用できることが考えられる。この目的により提供される制御及び調節装置によって充電ステーションがかみそりの起動前に冷却部材８、１８を所定の温度に冷却し、それによりかみそりの作動中、それに応じた大きい冷却容量が提供できることが更に考えられる。
【００６４】
かみそりの剪断及び切断部分４、５が洗浄流体中に浸漬される、充電ステーションに洗浄装置が同様にして提供される実施形態において、冷却要素６、１６を加熱要素として作動させて、剪断及び切断部分４、５のまわりを洗浄する洗浄流体を加熱し、それにより、より良好な全体的な洗浄能力が実現できることも考えられる。
【００６５】
図３に、受動的冷却要素１６の代替的な実施形態を示し、この実施形態は、フォーク状に構成された上方に自由に突出する末端区分が、剪断ヘッドの中間トリマー５を囲んでいる。図１及び２に示したような周辺冷却ストリップの代わりに、冷却要素は中間トリマーと剪断又は切断部分４との間に配置され、該剪断又は切断部分４は外側に位置するようになる。これら及び中間トリマー５は剪断ヘッド上にばね付勢されて支持され、冷却要素に対して移動されることができ、それにより、髭剃り中、剪断又は切断部分４が、使用者の皮膚により適用され得る対抗圧力によって少なくとも僅かに後方に移動されて、冷却要素１６と皮膚との直接接触が実現され得る。
【００６６】
図４によれば、その駆動軸がカム２５を有する電気モーター９は、剪断部分４又は切断部分５の移動可能な剪断要素を、振動ブリッジを介して既知の様式で駆動する。剪断ヘッド３の方向に向いたハウジング２の前面は、冷却部材又は蓄熱器１８の形態で構成された上部ハウジング区分に対して封止するように接続された冷却部材８として構成されている。２つの構成要素８及び１８は好ましくはアルミニウムから製作され、装置のシャーシを形成している。これは、一方では特に安定しているが、更に特にペルチエ素子の形態で実施される熱電素子７の過剰な熱の有意に大きい量を吸収することができ、次いで前記過剰な熱を環境内に放出する。
【００６７】
少なくとも１つの熱電素子７又は複数の熱電素子もまた、２つの剪断部分４の間の領域内で、冷却部材８上に直列に、特に温側２７により固定される。バー形状の受動的冷却要素又は冷却ストリップ６は、熱電素子７の冷側２８上に配置され、この冷却ストリップ６は２つの剪断部分４の間にて上方に延びる。垂直延長部にはこの構成が選択され、それにより髭剃り工程中に上部末端区分２９が剃られる皮膚と接触することができる。同時に冷却ストリップ６は、かみそりが突然落下した場合のための機械的なセーフティーガードである。切断部分５は、冷却ストリップ６の溝内に配置されている。
【００６８】
剪断部分４及び／若しくは切断部分５、並びに／又は冷却ストリップ６は、ハウジング２に対して弾性的に接続されて、剃られる皮膚の輪郭に対する最適な適合を確実にし得る。
【図１】
0005474957.tif 000002
【図２】
0005474957.tif 000003
【図３】
0005474957.tif 000004
【図４】
0005474957.tif 000005